(57)【要約】【課題】利用者の安全性を担保することが可能な酸素ルームを提供する。【解決手段】本発明における酸素ルーム１は、利用者を内部に収容可能な金属製の収容部２と、収容部２に形成された開口部３と、開口部３を閉塞可能な扉部４と、収容部２の内部の気圧を標準気圧と比較して低い低気圧にする制御を行う気圧制御部６と、を備え、気圧制御部６は、収容部２の内部の気圧を降圧する降圧処理と、現在の気圧を維持する待機処理と、を実行し、降圧処理、及び待機処理を交互に実行することにより、低気圧にする制御を行う。【選択図】図８
2020174794.tif 000002
【特許請求の範囲】
【請求項１】
利用者を内部に収容可能な金属製の収容部と、
前記収容部に形成された開口部と、
前記開口部を閉塞可能な扉部と、
前記収容部の内部の気圧を標準気圧と比較して低い低気圧にする制御を行う低圧制御部と、
を備え、
前記低圧制御部は、
前記収容部の内部の気圧を降圧する降圧処理と、
所定の条件が充足された場合に、現在の気圧を維持する気圧維持処理と、
を実行し、
前記降圧処理、及び前記気圧維持処理を交互に実行することにより、前記低気圧にする制御を行うことを特徴とする酸素ルーム。
【請求項２】
利用者を内部に収容可能な金属製の収容部と、
前記収容部に形成された開口部と、
前記開口部を閉塞可能な扉部と、
前記収容部の内部の気圧を標準気圧と比較して高い高気圧にする制御を行う高圧制御部と、
を備え、
前記高圧制御部は、
前記収容部の内部の気圧を昇圧する昇圧処理と、
所定の条件が充足された場合に、現在の気圧を維持する気圧維持処理と、
を実行し、
前記昇圧処理、及び前記気圧維持処理を交互に実行することにより、前記高気圧にする制御を行うことを特徴とする酸素ルーム。
【請求項３】
利用者を内部に収容可能な金属製の収容部と、
前記収容部に形成された開口部と、
前記開口部を閉塞可能な扉部と、
前記収容部の内部の気圧を制御する気圧制御部と、
を備え、
前記気圧制御部は、
前記収容部の内部の気圧を降圧する降圧処理と、
前記降圧処理により前記収容部の内部の気圧が降圧された後、標準気圧に復圧する復圧処理と、
所定の条件が充足された場合に、現在の気圧を維持する気圧維持処理と、
を実行し、
前記復圧処理、及び前記気圧維持処理を交互に実行することにより、前記標準気圧に復圧する制御を行うことを特徴とする酸素ルーム。
【請求項４】
利用者を内部に収容可能な金属製の収容部と、
前記収容部に形成された開口部と、
前記開口部を閉塞可能な扉部と、
前記収容部の内部の気圧を制御する気圧制御部と、
を備え、
前記気圧制御部は、
前記収容部の内部の気圧を昇圧する昇圧処理と、
前記昇圧処理により前記収容部の内部の気圧が昇圧された後、標準気圧に復圧する復圧処理と、
所定の条件が充足された場合に、現在の気圧を維持する気圧維持処理と、
を実行し、
前記復圧処理、及び前記気圧維持処理を交互に実行することにより、前記標準気圧に復圧する制御を行うことを特徴とする酸素ルーム。
【発明の詳細な説明】
【技術分野】
【０００１】
本発明は、酸素ルームに関するものである。
【背景技術】
【０００２】
従来では、標準気圧よりも高い気圧にする制御と、標準気圧よりも低い気圧にする制御とを行う酸素ルームが知られている（例えば、特許文献１）。このような酸素ルームは、利用者が収容される収容部の内部の気圧を標準気圧よりも高い気圧とすることにより、利用者の健康や、美容に関する効果が期待できる。一方で、収容部の内部の気圧を標準気圧よりも低い気圧とすることで、高地トレーニングを想定したトレーニングルームとして利用することができる。
【先行技術文献】
【特許文献】
【０００３】
【特許文献１】特開２００３−２１０６３７号公報
【発明の概要】
【発明が解決しようとする課題】
【０００４】
しかしながら、このような酸素ルームは、収容部の内部の気圧を変化させる場合において、利用者の身体に負担がかかる虞がある。具体的には、収容部の内部の気圧を標準気圧よりも高い気圧に昇圧する処理を行う場合においては、利用者の耳の鼓膜に負担がかかる虞がある。一方で、収容部の内部の気圧を標準気圧よりも低い気圧に降圧する処理を行う場合においては、潜水病になってしまう虞がある。
【０００５】
本発明は、このような問題点に鑑み、利用者の身体に負担がかかることを防止することが可能な酸素ルームを提供することを目的とする。
【課題を解決するための手段】
【０００６】
このような課題を解決するために、本発明に係る酸素ルームは、利用者を内部に収容可能な金属製の収容部と、前記収容部に形成された開口部と、前記開口部を閉塞可能な扉部と、前記収容部の内部の気圧を標準気圧と比較して低い低気圧にする制御を行う低圧制御部と、を備え、前記低圧制御部は、前記収容部の内部の気圧を降圧する降圧処理と、所定の条件が充足された場合に、現在の気圧を維持する気圧維持処理と、を実行し、前記降圧処理、及び前記気圧維持処理を交互に実行することにより、前記低気圧にする制御を行うことを特徴とする。
【０００７】
また、本発明に係る酸素ルームは、利用者を内部に収容可能な金属製の収容部と、前記収容部に形成された開口部と、前記開口部を閉塞可能な扉部と、前記収容部の内部の気圧を標準気圧と比較して高い高気圧にする制御を行う高圧制御部と、を備え、前記高圧制御部は、前記収容部の内部の気圧を昇圧する昇圧処理と、所定の条件が充足された場合に、現在の気圧を維持する気圧維持処理と、を実行し、前記昇圧処理、及び前記気圧維持処理を交互に実行することにより、前記高気圧にする制御を行うことを特徴とする。
【０００８】
また、本発明に係る酸素ルームは、利用者を内部に収容可能な金属製の収容部と、前記収容部に形成された開口部と、前記開口部を閉塞可能な扉部と、前記収容部の内部の気圧を制御する気圧制御部と、を備え、前記気圧制御部は、前記収容部の内部の気圧を降圧する降圧処理と、前記降圧処理により前記収容部の内部の気圧が降圧された後、標準気圧に復圧する復圧処理と、所定の条件が充足された場合に、現在の気圧を維持する気圧維持処理と、を実行し、前記復圧処理、及び前記気圧維持処理を交互に実行することにより、前記標準気圧に復圧する制御を行うことを特徴とする。
【０００９】
また、本発明に係る酸素ルームは、利用者を内部に収容可能な金属製の収容部と、前記収容部に形成された開口部と、前記開口部を閉塞可能な扉部と、前記収容部の内部の気圧を制御する気圧制御部と、を備え、前記気圧制御部は、前記収容部の内部の気圧を昇圧する昇圧処理と、前記昇圧処理により前記収容部の内部の気圧が昇圧された後、標準気圧に復圧する復圧処理と、所定の条件が充足された場合に、現在の気圧を維持する気圧維持処理と、を実行し、前記復圧処理、及び前記気圧維持処理を交互に実行することにより、前記標準気圧に復圧する制御を行うことを特徴とする。
【発明の効果】
【００１０】
本発明によれば、利用者の身体に負担がかかることを防止することが可能な酸素ルームを提供することができる。
【図面の簡単な説明】
【００１１】
【図１】酸素ルームの外観斜視図の一例を示す図である。
【図２】気圧制御部のブロック図の一例を示す図である。
【図３】気圧制御部における処理の一例を示す図である。
【図４】昇圧時処理のサブルーチンの一例を示す図である。
【図５】降圧時処理のサブルーチンの一例を示す図である。
【図６】復圧時処理のサブルーチンの一例を示す図である。
【図７】割込処理の一例を示す図である。
【図８】降圧から復圧までの気圧の推移を表すグラフの一例を示す図である。
【図９】昇圧から復圧までの気圧の推移を表すグラフの一例を示す図である。
【図１０】降圧から復圧までの液晶表示装置の表示態様の一例を示す図である。
【図１１】昇圧から復圧までの液晶表示装置の表示態様の一例を示す図である。
【発明を実施するための形態】
【００１２】
以下、本発明の実施形態について図面を参照しながら具体的に説明する。
【００１３】
（酸素ルーム１の外観斜視図）
まず、図１を用いて、本発明における酸素ルーム１の構成について具体的に説明を行う。なお、図１は、開口部３が開放された状態の酸素ルーム１の外観斜視図である。
【００１４】
（酸素ルーム１）
本発明における酸素ルーム１は、収容部２と、気圧制御部６と、濃縮酸素装置７により構成される。
【００１５】
（収容部２）
収容部２は、収容部２の底面に設けられている板状の底面板と、収容部２の正面視左側面に設けられている板状の左側面板と、収容部２の正面視右側面に設けられている板状の右側面板と、収容部２の正面側に設けられている板状の正面板と、収容部２の背面側に設けられている板状の背面板と、収容部２の天井側に設けられている板状の天井板とにより構成されており、溶接、ビス止め等により結合されることで箱形状に形成されている。また、収容部２は、酸素ルーム１を利用する利用者を収容可能な空間を内部に有している。
【００１６】
また、収容部２の材質は、強度に優れた金属製（例えば、鋼、鉄）となっている。これにより、収容部２の耐重圧性、耐衝撃性が向上するので、収容部２の内部にいる利用者の安全性が向上する。なお、収容部２の材質は、強度に優れた材質であればどのような材質であってもよい。
【００１７】
ここで、本実施形態において、収容部２は、奥行き（Ｄ）が１２０ｃｍ、幅（Ｗ）が２６０ｃｍ、高さ（Ｈ）が１５０ｃｍ程度の大きさとなっており、酸素ルーム１の利用者を複数人収容可能となっているが、収容部２の大きさは、少なくとも１人の利用者を収容可能な大きさであればどのような大きさであってもよい。
【００１８】
（開口部３）
開口部３は、収容部２の正面板に設けられており、酸素ルーム１の利用者が収容部２の内部に出入り可能な大きさにより形成されている。ここで、開口部３の大きさは、利用者が出入り可能な大きさであれば、どのような大きさであってもよい。また、開口部３が設けられる位置は、正面板ではなく、他の位置に設けられていてもよい。例えば、開口部３が左側面板や、右側面板、背面板、天井板に設けられていてもよい。
【００１９】
（扉部４）
扉部４は、収容部２の正面板に設けられており、開口部３を開放可能、及び閉塞可能に設けられている。具体的には、扉部４は、収容部２の内部方向に可動することにより開口可能な加圧用の内扉と、収容部２の外部方向に可動することにより開口可能な減圧用の外扉とにより構成されている。ここで、本実施形態における扉部４の大きさは、開口部３よりも大きくなっている。
【００２０】
また、扉部４が設けられる位置は、開口部３が設けられている位置に合わせて、別の位置に設けられていてもよい。なお、本実施形態において、扉部４は、開き戸となっているが、これに限定されることはなく、例えば、引き戸や、折れ戸であってもよい。
【００２１】
（窓部５）
窓部５は、収容部２の正面板に設けられており、収容部２の外部から収容部２の内部を視認可能とするために設けられている。また、窓部５を設けることにより、収容部２の内部にいる利用者の閉塞感を軽減することができる。ここで、窓部５は、正面板以外の位置（例えば、左側面板、右側面板、背面板）に設けられていてもよく、複数設けられていてもよい。なお、窓部５の大きさは、どのような大きさであってもよい。
【００２２】
（気圧制御部６）
気圧制御部６は、収容部２や、濃縮酸素装置７と接続されており、収容部２の内部の気圧を制御するために設けられている。なお、気圧制御部６については、後で図２を用いて詳述する。
【００２３】
（濃縮酸素装置７）
濃縮酸素装置７は、気圧制御部６と接続されており、空気中の窒素、及び二酸化炭素を取り除くためのゼオライト（図示せず）を有している。
【００２４】
（外側酸素排出弁８）
外側酸素排出弁８は、正面板に設けられており、収容部２の内部の気圧を標準気圧にするために設けられている。ここで、収容部２の外側から外側酸素排出弁８が操作されることにより、収容部２の内部の気圧が標準気圧（「１．０」気圧）に戻ることとなる。
【００２５】
（内側酸素排出弁９）
内側酸素排出弁９は、正面板に設けられており、外側酸素排出弁８と同様に、収容部２の内部の酸素を排出するために設けられている。ここで、利用者は、収容部２の内部から内側酸素排出弁９が操作されることにより、収容部２の内部の気圧が標準気圧に戻ることとなる。
【００２６】
（気圧制御部６のブロック図）
次に、図２を用いて、気圧制御部６のブロック図について説明を行う。
【００２７】
気圧制御部６は、ＣＰＵ６ａと、ＲＯＭ６ｂと、ＲＡＭ６ｃと、電源鍵部１０と、開始ボタン１１と、終了ボタン１２と、一時停止ボタン１３と、緊急停止ボタン１４と、タッチパネル１５と、気圧計１６と、受話器１７と、液晶表示装置１８と、加圧開閉弁２０と、減圧開閉弁２１と、大気開放弁２２と、第１開閉弁２３と、第２開閉弁２４と、第３開閉弁２５と、第４開閉弁２６とを備えている。
【００２８】
また、気圧制御部６には、濃縮酸素装置７と、加圧ポンプ２７と、減圧ポンプ２８とが接続されている。
【００２９】
（ＣＰＵ６ａ）
ＣＰＵ６ａは、気圧制御部６の制御を行うために設けられており、ＲＯＭ６ｂに記憶されているプログラムを読み込み、所定の演算処理を行うことにより、濃縮酸素装置７、受話器１７、加圧ポンプ２７、減圧ポンプ２８に対して所定の信号を送信する。
【００３０】
また、ＣＰＵ６ａは、ＲＯＭ６ｂに記憶されているプログラムを読み込み、所定の演算処理を行うことにより、受話器１７、液晶表示装置１８、加圧開閉弁２０、減圧開閉弁２１、大気開放弁２２、第１開閉弁２３、第２開閉弁２４、第３開閉弁２５、第４開閉弁２６の制御を行う。
【００３１】
また、ＣＰＵ６ａは、濃縮酸素装置７、電源鍵部１０、開始ボタン１１、終了ボタン１２、一時停止ボタン１３、緊急停止ボタン１４、タッチパネル１５、気圧計１６から所定の信号を入力し、入力した信号に応じた処理を行う。
【００３２】
（ＲＯＭ６ｂ）
ＲＯＭ６ｂは、ＣＰＵ６ａにより実行される制御プログラム、データテーブル、濃縮酸素装置７、受話器１７、加圧ポンプ２７、減圧ポンプ２８に対する信号を送信するためのデータ等を記憶するために設けられている。
【００３３】
（ＲＡＭ６ｃ）
ＲＡＭ６ｃは、ＣＰＵ６ａによるプログラムの実行により決定された各種データを格納するために設けられている。また、ＲＡＭ６ｃには、気圧制御部６の運転状態を示すステータス格納領域が設けられている。
【００３４】
（電源鍵部１０）
電源鍵部１０は、気圧制御部６に電力を供給する操作を検出するために設けられている。また、電源鍵部１０は、図示しない鍵が挿入されて所定方向に回動される操作を検出することにより、電源がＯＮとなる。一方で、図示しない鍵が挿入されて所定方向に回動されている状態において、所定方向と逆方向に回動される操作を検出することにより、電源がＯＦＦとなる。
【００３５】
（開始ボタン１１）
開始ボタン１１は、選択された気圧に対して昇圧、または降圧を開始するために設けられている。また、開始ボタン１１は、図示しない開始スイッチを備えている。
【００３６】
（終了ボタン１２）
終了ボタン１２は、気圧制御部６が収容部２の内部の気圧を制御している状態において、収容部２の内部の気圧の制御を終了する操作を検出するために設けられている。また、終了ボタン１２は、図示しない終了スイッチを備えている。
【００３７】
（一時停止ボタン１３）
一時停止ボタン１３は、気圧制御部６が収容部２の内部の気圧を昇圧、または降圧している状態において、収容部２の内部の気圧の昇圧や、降圧を一時停止する操作を検出するために設けられている。また、一時停止ボタン１３は、図示しない一時停止スイッチを備えている。
【００３８】
（緊急停止ボタン１４）
緊急停止ボタン１４は、気圧制御部６が収容部２の内部の気圧を制御している状態において、収容部２の内部の気圧の制御を緊急停止する操作を検出するために設けられている。また、緊急停止ボタン１４は、図示しない緊急停止スイッチを備えている。
【００３９】
（タッチパネル１５）
タッチパネル１５は、液晶表示装置１８の表面、及び／または裏面に設けられており、収容部２の内部の気圧を選択するための操作や、気圧制御部６の運転時間を選択するための操作、昇圧時間を選択するための操作、降圧時間を選択するための操作などを検出するために設けられている。
【００４０】
（気圧計１６）
気圧計１６は、収容部２の内部の気圧を計測するために設けられている。ここで、本実施形態において、気圧計１６は、加圧開閉弁２０や、減圧開閉弁２１の近傍に設けられているが、収容部２の内部の気圧を計測することが可能な位置であれば、どこに設けられていてもよい。例えば、収容部２の内部に設けられていてもよい。
【００４１】
（受話器１７）
受話器１７は、収容部２の内部に設けられている受話器と通話を行うために設けられている。
【００４２】
（液晶表示装置１８）
液晶表示装置１８は、初期画面や、モード選択画面等を表示するために設けられている。
【００４３】
（加圧開閉弁２０）
加圧開閉弁２０は、加圧ポンプ２７を駆動して収容部２の内部の気圧を昇圧する際には開放され、減圧ポンプ２８を駆動して収容部２の内部の気圧を降圧する際には閉塞される。
【００４４】
（減圧開閉弁２１）
減圧開閉弁２１は、減圧ポンプ２８を駆動して収容部２の内部の気圧を降圧する際には開放され、加圧ポンプ２７を駆動して収容部２の内部の気圧を昇圧する際には閉塞される。
【００４５】
（大気開放弁２２）
大気開放弁２２は、電源がＯＮとなったときに閉塞され、電源がＯＦＦになったときや、緊急停止ボタン１４が操作されたときに開放される。また、大気開放弁２２が開放されると、収容部２の内部の気圧が標準気圧に復圧することとなる。
【００４６】
（第１開閉弁２３）
第１開閉弁２３は、昇圧、降圧、圧力保持、及び復圧の制御を行う際に、収容部２の内部の気圧を補正するために設けられている。
【００４７】
（第２開閉弁２４）
第２開閉弁２４は、第１開閉弁２３と同様に、昇圧、降圧、圧力保持、及び復圧の制御を行う際に、収容部２の内部の気圧を補正するために設けられている。
【００４８】
（第３開閉弁２５）
第３開閉弁２５は、第１開閉弁２３や第２開閉弁２４と同様に、昇圧、降圧、圧力保持、及び復圧の制御を行う際に、収容部２の内部の気圧を補正するために設けられている。
【００４９】
（第４開閉弁２６）
第４開閉弁２６は、第１開閉弁２３〜第３開閉弁２５と同様に、昇圧、降圧、圧力保持、及び復圧の制御を行う際に、収容部２の内部の気圧を補正するために設けられている。
【００５０】
（加圧ポンプ２７）
加圧ポンプ２７は、昇圧、及び圧力保持の制御を行う際に、収容部２の内部の気圧を加圧するために設けられている。
【００５１】
（減圧ポンプ２８）
減圧ポンプ２８は、降圧、及び圧力保持の制御を行う際に、収容部２の内部の気圧を減圧するために設けられている。
【００５２】
（気圧制御部６における処理）
次に、図３を用いて、気圧制御部６における処理について説明を行う。
【００５３】
（ステップＳ１）
ステップＳ１において、ＣＰＵ６ａは、電源がＯＮとなったか否かを判定する処理を行う。具体的には、ＣＰＵ６ａは、図示しない鍵が電源鍵部１０に挿入されて所定方向に回動される操作を検出したか否かを判定する処理を行う。そして、電源がＯＮとなったと判定された場合には（ステップＳ１＝ＹＥＳ）、ステップＳ２に処理を移行する。一方で、電源がＯＮとなっていないと判定された場合には（ステップＳ１＝ＮＯ）、電源がＯＮとなるまでステップＳ１の処理を繰り返し実行することとなる。
【００５４】
（ステップＳ２）
ステップＳ２において、ＣＰＵ６ａは、電源投入時処理を行う。具体的には、ＣＰＵ６ａは、液晶表示装置１８に初期画面を表示する処理を行った後、モード選択画面を表示する処理を行う。また、電源投入時処理において、ＣＰＵ６ａは、大気開放弁２２を閉塞する処理や、ＲＡＭ６ｃに設けられているステータス格納領域に「１（停止）」をセットする処理を行う。そして、ステップＳ２の処理が終了すると、ステップＳ３に処理を移行する。
【００５５】
（ステップＳ３）
ステップＳ３において、ＣＰＵ６ａは、電源がＯＦＦとなったか否かを判定する処理を行う。具体的には、ＣＰＵ６ａは、図示しない鍵が電源鍵部１０に挿入されて所定方向と逆方向に回動される操作を検出したか否かを判定する処理を行う。そして、電源がＯＦＦとなったと判定された場合には（ステップＳ３＝ＹＥＳ）、ステップＳ４に処理を移行する。一方で、電源がＯＦＦとなっていないと判定された場合には（ステップＳ３＝ＮＯ）、ステップＳ５に処理を移行する。
【００５６】
（ステップＳ４）
ステップＳ４において、ＣＰＵ６ａは、電源断時処理を行う。具体的には、ＣＰＵ６ａは、大気開放弁２２を開放する処理や、ＲＡＭ６ｃに設けられているステータス格納領域に「１（停止）」をセットする処理を行う。そして、ステップＳ４の処理が終了すると、ステップＳ１に処理を移行する。
【００５７】
（ステップＳ５）
ステップＳ５において、ＣＰＵ６ａは、ステータスが「１（停止）」であるか否かを判定する処理を行う。具体的には、ＣＰＵ６ａは、ＲＡＭ６ｃに設けられているステータス格納領域の値が「１（停止）」であるか否かを判定する処理を行う。そして、ステータスが「１（停止）」であると判定された場合には（ステップＳ５＝ＹＥＳ）、ステップＳ６に処理を移行する。一方で、ステータスが「１（停止）」ではないと判定された場合には（ステップＳ５＝ＮＯ）、ステップＳ７に処理を移行する。
【００５８】
（ステップＳ６）
ステップＳ６において、ＣＰＵ６ａは、停止時処理を行う。具体的には、ＣＰＵ６ａは、液晶表示装置１８にモード選択画面が表示されている状態において、タッチパネル１５により、圧力（気圧）を選択する操作や、運転時間を選択する操作、昇圧時間や降圧時間を選択する操作を検出する処理を行う。また、ＣＰＵ６ａは、圧力（気圧）、運転時間、及び昇圧時間が選択されている場合において、設定完了操作が検出された場合に、ＲＡＭ６ｃに設けられているステータス格納領域に「２（昇圧）」をセットする処理や、選択された圧力（気圧）、運転時間、及び昇圧時間をＲＡＭ６ｃに記憶する処理を行う。また、ＣＰＵ６ａは、圧力（気圧）、運転時間、及び降圧時間が選択されている場合において、設定完了操作が検出された場合に、ＲＡＭ６ｃに設けられているステータス格納領域に「３（降圧）」をセットする処理や、選択された圧力（気圧）、運転時間、及び降圧時間をＲＡＭ６ｃに記憶する処理を行う。そして、ステップＳ６の処理が終了すると、ステップＳ３に処理を移行する。
【００５９】
（ステップＳ７）
ステップＳ７において、ＣＰＵ６ａは、ステータスが「２（昇圧）」であるか否かを判定する処理を行う。具体的には、ＣＰＵ６ａは、ＲＡＭ６ｃに設けられているステータス格納領域の値が「２（昇圧）」であるか否かを判定する処理を行う。そして、ステータスが「２（昇圧）」であると判定された場合には（ステップＳ７＝ＹＥＳ）、ステップＳ８に処理を移行する。一方で、ステータスが「２（昇圧）」ではないと判定された場合には（ステップＳ７＝ＮＯ）、ステップＳ９に処理を移行する。
【００６０】
（ステップＳ８）
ステップＳ８において、ＣＰＵ６ａは、後で図４を用いて詳述する昇圧時処理を行う。当該処理において、ＣＰＵ６ａは、収容部２の内部の気圧を昇圧する処理を行う。そして、ステップＳ８の処理が終了すると、ステップＳ３に処理を移行する。
【００６１】
（ステップＳ９）
ステップＳ９において、ＣＰＵ６ａは、ステータスが「３（降圧）」であるか否かを判定する処理を行う。具体的には、ＣＰＵ６ａは、ＲＡＭ６ｃに設けられているステータス格納領域の値が「３（降圧）」であるか否かを判定する処理を行う。そして、ステータスが「３（降圧）」であると判定された場合には（ステップＳ９＝ＹＥＳ）、ステップＳ１０に処理を移行する。一方で、ステータスが「３（降圧）」ではないと判定された場合には（ステップＳ９＝ＮＯ）、ステップＳ１１に処理を移行する。
【００６２】
（ステップＳ１０）
ステップＳ１０において、ＣＰＵ６ａは、後で図５を用いて詳述する降圧時処理を行う。当該処理において、ＣＰＵ６ａは、収容部２の内部の気圧を降圧する処理を行う。そして、ステップＳ１０の処理が終了すると、ステップＳ３に処理を移行する。
【００６３】
（ステップＳ１１）
ステップＳ１１において、ＣＰＵ６ａは、ステータスが「４（圧力保持）」であるか否かを判定する処理を行う。具体的には、ＣＰＵ６ａは、ＲＡＭ６ｃに設けられているステータス格納領域の値が「４（圧力保持）」であるか否かを判定する処理を行う。そして、ステータスが「４（圧力保持）」であると判定された場合には（ステップＳ１１＝ＹＥＳ）、ステップＳ１２に処理を移行する。一方で、ステータスが「４（圧力保持）」ではないと判定された場合には（ステップＳ１１＝ＮＯ）、ステップＳ１３に処理を移行する。
【００６４】
（ステップＳ１２）
ステップＳ１２において、ＣＰＵ６ａは、圧力保持時処理を行う。具体的には、ＣＰＵ６ａは、設定されている運転時間が経過した場合に、ＲＡＭ６ｃに設けられているステータス格納領域に「５（復圧）」をセットする処理を行う。また、ＣＰＵ６ａは、終了ボタン１２の操作が検出された場合には、ＲＡＭ６ｃに設けられているステータス格納領域に「５（復圧）」をセットする処理を行う終了ボタン操作時処理を行い、一時停止ボタン１３の操作が検出された場合には、収容部２の内部の気圧を維持する一時停止ボタン操作時処理を行い、緊急停止ボタン１４の操作が検出された場合には、大気開放弁２２を開放し、ＲＡＭ６ｃに設けられているステータス格納領域に「１（停止）」をセットする処理を行う緊急停止ボタン操作時処理を行い、設定されている気圧が標準気圧よりも高い場合において、設定変更操作が検出された場合には、ＲＡＭ６ｃに設けられているステータス格納領域に「６（加圧調整）」をセットする処理を行う加圧設定変更操作検出時処理を行い、設定されている気圧が標準気圧よりも低い場合において、設定変更操作が検出された場合には、ＲＡＭ６ｃに設けられているステータス格納領域に「７（減圧調整）」をセットする処理を行う減圧設定変更操作検出時処理を行う。そして、ステップＳ１２の処理が終了すると、ステップＳ３に処理を移行する。
【００６５】
（ステップＳ１３）
ステップＳ１３において、ＣＰＵ６ａは、ステータスが「５（復圧）」であるか否かを判定する処理を行う。具体的には、ＣＰＵ６ａは、ＲＡＭ６ｃに設けられているステータス格納領域の値が「５（復圧）」であるか否かを判定する処理を行う。そして、ステータスが「５（復圧）」であると判定された場合には（ステップＳ１３＝ＹＥＳ）、ステップＳ１４に処理を移行する。一方で、ステータスが「５（復圧）」ではないと判定された場合には（ステップＳ１３＝ＮＯ）、ステップＳ１５に処理を移行する。
【００６６】
（ステップＳ１４）
ステップＳ１４において、ＣＰＵ６ａは、後で図６を用いて詳述する復圧時処理を行う。当該処理において、ＣＰＵ６ａは、収容部２の内部の気圧を標準気圧に復圧する処理を行う。そして、ステップＳ１４の処理が終了すると、ステップＳ３に処理を移行する。
【００６７】
（ステップＳ１５）
ステップＳ１５において、ＣＰＵ６ａは、ステータスが「６（加圧調整）」であるか否かを判定する処理を行う。具体的には、ＣＰＵ６ａは、ＲＡＭ６ｃに設けられているステータス格納領域の値が「６（加圧調整）」であるか否かを判定する処理を行う。そして、ステータスが「６（加圧調整）」であると判定された場合には（ステップＳ１５＝ＹＥＳ）、ステップＳ１６に処理を移行する。一方で、ステータスが「６（加圧調整）」ではないと判定された場合には（ステップＳ１５＝ＮＯ）、ステップＳ１７に処理を移行する。
【００６８】
（ステップＳ１６）
ステップＳ１６において、ＣＰＵ６ａは、加圧調整時処理を行う。具体的には、ＣＰＵ６ａは、収容部２の内部の気圧が変更された圧力（気圧）に到達した場合に、ＲＡＭ６ｃに設けられているステータス格納領域に「４（圧力保持）」をセットする処理を行う。また、ＣＰＵ６ａは、終了ボタン１２の操作が検出された場合には、ＲＡＭ６ｃに設けられているステータス格納領域に「５（復圧）」をセットする処理を行う終了ボタン操作時処理を行い、一時停止ボタン１３の操作が検出された場合には、収容部２の内部の気圧を維持する一時停止ボタン操作時処理を行い、緊急停止ボタン１４の操作が検出された場合には、大気開放弁２２を開放し、ＲＡＭ６ｃに設けられているステータス格納領域に「１（停止）」をセットする処理を行う緊急停止ボタン操作時処理を行う。そして、ステップＳ１６の処理が終了すると、ステップＳ３に処理を移行する。
【００６９】
（ステップＳ１７）
ステップＳ１７において、ＣＰＵ６ａは、ステータスが「７（減圧調整）」であるか否かを判定する処理を行う。具体的には、ＣＰＵ６ａは、ＲＡＭ６ｃに設けられているステータス格納領域の値が「７（減圧調整）」であるか否かを判定する処理を行う。そして、ステータスが「７（減圧調整）」であると判定された場合には（ステップＳ１７＝ＹＥＳ）、ステップＳ１８に処理を移行する。一方で、ステータスが「７（減圧調整）」ではないと判定された場合には（ステップＳ１７＝ＮＯ）、ステップＳ１９に処理を移行する。
【００７０】
（ステップＳ１８）
ステップＳ１８において、ＣＰＵ６ａは、減圧調整時処理を行う。具体的には、ＣＰＵ６ａは、収容部２の内部の気圧が変更された圧力（気圧）に到達した場合に、ＲＡＭ６ｃに設けられているステータス格納領域に「４（圧力保持）」をセットする処理を行う。また、ＣＰＵ６ａは、終了ボタン１２の操作が検出された場合には、ＲＡＭ６ｃに設けられているステータス格納領域に「５（復圧）」をセットする処理を行う終了ボタン操作時処理を行い、一時停止ボタン１３の操作が検出された場合には、収容部２の内部の気圧を維持する一時停止ボタン操作時処理を行い、緊急停止ボタン１４の操作が検出された場合には、大気開放弁２２を開放し、ＲＡＭ６ｃに設けられているステータス格納領域に「１（停止）」をセットする処理を行う緊急停止ボタン操作時処理を行う。そして、ステップＳ１８の処理が終了すると、ステップＳ３に処理を移行する。
【００７１】
（ステップＳ１９）
ステップＳ１９において、ＣＰＵ６ａは、ステータスが「８（異常）」であるか否かを判定する処理を行う。具体的には、ＣＰＵ６ａは、ＲＡＭ６ｃに設けられているステータス格納領域の値が「８（異常）」であるか否かを判定する処理を行う。そして、ステータスが「８（異常）」であると判定された場合には（ステップＳ１９＝ＹＥＳ）、ステップＳ２０に処理を移行する。一方で、ステータスが「８（異常）」ではないと判定された場合には（ステップＳ１９＝ＮＯ）、ステップＳ３に処理を移行する。
【００７２】
（ステップＳ２０）
ステップＳ２０において、ＣＰＵ６ａは、異常時処理を行う。具体的には、ＣＰＵ６ａは、収容部２の内部の気圧を標準気圧に復圧する処理を行い、収容部２の内部の気圧が標準気圧となった場合に、ＲＡＭ６ｃに設けられているステータス格納領域に「１（停止）」をセットする処理を行う。そして、ステップＳ２０の処理が終了すると、ステップＳ３に処理を移行する。
【００７３】
（昇圧時処理のサブルーチン）
次に、図４を用いて、昇圧時処理のサブルーチンについて説明を行う。
【００７４】
（ステップＳ８−１）
ステップＳ８−１において、ＣＰＵ６ａは、終了ボタン１２の操作が検出されたか否かを判定する処理を行う。具体的には、ＣＰＵ６ａは、図示しない終了スイッチにより、終了ボタン１２の操作が検出されたか否かを判定する処理を行う。そして、終了ボタン１２の操作が検出されたと判定された場合には（ステップＳ８−１＝ＹＥＳ）、ステップＳ８−２に処理を移行する。一方で、終了ボタン１２の操作が検出されていないと判定された場合には（ステップＳ８−１＝ＮＯ）、ステップＳ８−３に処理を移行する。
【００７５】
（ステップＳ８−２）
ステップＳ８−２において、ＣＰＵ６ａは、終了ボタン操作時処理を行う。具体的には、ＣＰＵ６ａは、ＲＡＭ６ｃに設けられているステータス格納領域に「５（復圧）」をセットする処理を行う。そして、ステップＳ８−２の処理が終了すると、昇圧時処理のサブルーチンを終了し、気圧制御部６における処理のステップＳ３に処理を移行する。
【００７６】
（ステップＳ８−３）
ステップＳ８−３において、ＣＰＵ６ａは、一時停止ボタン１３の操作が検出されたか否かを判定する処理を行う。具体的には、ＣＰＵ６ａは、図示しない一時終了スイッチにより、一時停止ボタン１３の操作が検出されたか否かを判定する処理を行う。そして、一時停止ボタン１３の操作が検出されたと判定された場合には（ステップＳ８−３＝ＹＥＳ）、ステップＳ８−４に処理を移行する。一方で、一時停止ボタン１３の操作が検出されていないと判定された場合には（ステップＳ８−３＝ＮＯ）、ステップＳ８−５に処理を移行する。
【００７７】
（ステップＳ８−４）
ステップＳ８−４において、ＣＰＵ６ａは、一時停止ボタン操作時処理を行う。具体的には、ＣＰＵ６ａは、収容部２の内部の気圧を維持する処理を行う。そして、ステップＳ８−４の処理が終了すると、昇圧時処理のサブルーチンを終了し、気圧制御部６における処理のステップＳ３に処理を移行する。
【００７８】
（ステップＳ８−５）
ステップＳ８−５において、ＣＰＵ６ａは、緊急停止ボタン１４の操作が検出されたか否かを判定する処理を行う。具体的には、ＣＰＵ６ａは、図示しない緊急停止スイッチにより、緊急停止ボタン１４の操作が検出されたか否かを判定する処理を行う。そして、緊急停止ボタン１４の操作が検出されたと判定された場合には（ステップＳ８−５＝ＹＥＳ）、ステップＳ８−６に処理を移行する。一方で、緊急停止ボタン１４の操作が検出されていないと判定された場合には（ステップＳ８−５＝ＮＯ）、ステップＳ８−７に処理を移行する。
【００７９】
（ステップＳ８−６）
ステップＳ８−６において、ＣＰＵ６ａは、緊急停止ボタン操作時処理を行う。具体的には、ＣＰＵ６ａは、大気開放弁２２を開放し、ＲＡＭ６ｃに設けられているステータス格納領域に「１（停止）」をセットする処理を行う。そして、ステップＳ８−６の処理が終了すると、昇圧時処理のサブルーチンを終了し、気圧制御部６における処理のステップＳ３に処理を移行する。
【００８０】
（ステップＳ８−７）
ステップＳ８−７において、ＣＰＵ６ａは、設定変更操作が検出されたか否かを判定する処理を行う。具体的には、ＣＰＵ６ａは、タッチパネル１５により、設定変更操作が検出されたか否かを判定する処理を行う。そして、設定変更操作が検出されたと判定された場合には（ステップＳ８−７＝ＹＥＳ）、ステップＳ８−８に処理を移行する。一方で、設定変更操作が検出されていないと判定された場合には（ステップＳ８−７＝ＮＯ）、ステップＳ８−９に処理を移行する。
【００８１】
（ステップＳ８−８）
ステップＳ８−８において、ＣＰＵ６ａは、設定変更操作検出時処理を行う。具体的には、ＣＰＵ６ａは、現在設定されている気圧が標準気圧よりも高い場合には、ＲＡＭ６ｃに設けられているステータス格納領域に「６（加圧調整）」をセットする加圧設定変更操作検出時処理を行う。一方で、現在設定されている気圧が標準気圧よりも低い場合には、ＲＡＭ６ｃに設けられているステータス格納領域に「７（減圧調整）」をセットする減圧設定変更操作検出時処理を行う。そして、ステップＳ８−８の処理が終了すると、昇圧時処理のサブルーチンを終了し、気圧制御部６における処理のステップＳ３に処理を移行する。
【００８２】
（ステップＳ８−９）
ステップＳ８−９において、ＣＰＵ６ａは、昇圧処理を行う。具体的には、ＣＰＵ６ａは、加圧ポンプ２７を駆動することにより、収容部２の内部の気圧を昇圧させる処理を行う。そして、ステップＳ８−９の処理が終了すると、ステップＳ８−１０に処理を移行する。
【００８３】
（ステップＳ８−１０）
ステップＳ８−１０において、ＣＰＵ６ａは、単位気圧分の昇圧が行われたか否かを判定する処理を行う。具体的には、ＣＰＵ６ａは、単位気圧（「０．１」気圧）分の昇圧が行われたか否かを判定する処理を行う。そして、単位気圧分の昇圧が行われたと判定された場合には（ステップＳ８−１０＝ＹＥＳ）、ステップＳ８−１１に処理を移行する。一方で、単位気圧分の昇圧が行われていないと判定された場合には（ステップＳ８−１０＝ＮＯ）、ステップＳ８−１３に処理を移行する。
【００８４】
（ステップＳ８−１１）
ステップＳ８−１１において、ＣＰＵ６ａは、待機処理を行う。具体的には、ＣＰＵ６ａは、まず、ＲＡＭ６ｃのタイマカウンタの値がセットされていない場合には、セットされている昇圧時間に基づいて、タイマカウンタの値をセットする処理を行う。また、ＣＰＵ６ａは、タイマカウンタの値がセットされている場合には、タイマカウンタの値から「１」減算する処理を行う。また、ＣＰＵ６ａは、第１開閉弁２３〜第４開閉弁２６の開閉を行うことにより、現在の気圧を維持する制御を行う。そして、ステップＳ８−１１の処理が終了すると、ステップＳ８−１２に処理を移行する。
【００８５】
（ステップＳ８−１２）
ステップＳ８−１２において、ＣＰＵ６ａは、待機時間が終了したか否かを判定する処理を行う。具体的には、ＣＰＵ６ａは、ステップＳ８−１１の待機処理により、タイマカウンタの値から「１」減算する処理を行った結果、タイマカウンタの値が「０」となったか否かを判定することにより、待機時間が終了したか否かを判定する処理を行う。そして、待機時間が終了したと判定された場合には（ステップＳ８−１２＝ＹＥＳ）、ステップＳ８−１３に処理を移行する。一方で、待機時間が終了していないと判定された場合には（ステップＳ８−１２＝ＮＯ）、ステップＳ８−１１に処理を移行する。
【００８６】
（ステップＳ８−１３）
ステップＳ８−１３において、ＣＰＵ６ａは、昇圧処理を行う。具体的には、ＣＰＵ６ａは、加圧ポンプ２７を駆動することにより、収容部２の内部の気圧を昇圧させる処理を行う。そして、ステップＳ８−１３の処理が終了すると、ステップＳ８−１４に処理を移行する。
【００８７】
（ステップＳ８−１４）
ステップＳ８−１４において、ＣＰＵ６ａは、単位気圧分の昇圧が行われたか否かを判定する処理を行う。具体的には、ＣＰＵ６ａは、単位気圧（「０．１」気圧）分の昇圧が行われたか否かを判定する処理を行う。そして、単位気圧分の昇圧が行われたと判定された場合には（ステップＳ８−１４＝ＹＥＳ）、ステップＳ８−１５に処理を移行する。一方で、単位気圧分の昇圧が行われていないと判定された場合には（ステップＳ８−１４＝ＮＯ）、ステップＳ８−１３に処理を移行する。
【００８８】
（ステップＳ８−１５）
ステップＳ８−１５において、ＣＰＵ６ａは、選択された気圧まで昇圧したか否かを判定する処理を行う。具体的には、ＣＰＵ６ａは、ステップＳ８−１３の昇圧処理を行った結果、選択された気圧まで昇圧したか否かを判定する処理を行う。そして、選択された気圧まで昇圧したと判定された場合には（ステップＳ８−１５＝ＹＥＳ）、ステップＳ８−１６に処理を移行する。一方で、選択された気圧まで昇圧していないと判定された場合には（ステップＳ８−１５＝ＮＯ）、ステップＳ８−１１に処理を移行する。
【００８９】
（ステップＳ８−１６）
ステップＳ８−１６において、ＣＰＵ６ａは、ステータスに「４（圧力保持）」をセットする処理を行う。具体的には、ＣＰＵ６ａは、ＲＡＭ６ｃのステータス格納領域に「４（圧力保持）」をセットする処理を行う。そして、ステップＳ８−１６の処理が終了すると、昇圧時処理のサブルーチンを終了し、気圧制御部６における処理のステップＳ３に処理を移行する。
【００９０】
（降圧時処理のサブルーチン）
次に、図５を用いて、降圧時処理のサブルーチンについて説明を行う。
【００９１】
（ステップＳ１０−１）
ステップＳ１０−１において、ＣＰＵ６ａは、終了ボタン１２の操作が検出されたか否かを判定する処理を行う。具体的には、ＣＰＵ６ａは、図示しない終了スイッチにより、終了ボタン１２の操作が検出されたか否かを判定する処理を行う。そして、終了ボタン１２の操作が検出されたと判定された場合には（ステップＳ１０−１＝ＹＥＳ）、ステップＳ１０−２に処理を移行する。一方で、終了ボタン１２の操作が検出されていないと判定された場合には（ステップＳ１０−１＝ＮＯ）、ステップＳ１０−３に処理を移行する。
【００９２】
（ステップＳ１０−２）
ステップＳ１０−２において、ＣＰＵ６ａは、終了ボタン操作時処理を行う。具体的には、ＣＰＵ６ａは、ＲＡＭ６ｃに設けられているステータス格納領域に「５（復圧）」をセットする処理を行う。そして、ステップＳ１０−２の処理が終了すると、降圧時処理のサブルーチンを終了し、気圧制御部６における処理のステップＳ３に処理を移行する。
【００９３】
（ステップＳ１０−３）
ステップＳ１０−３において、ＣＰＵ６ａは、一時停止ボタン１３の操作が検出されたか否かを判定する処理を行う。具体的には、ＣＰＵ６ａは、図示しない一時終了スイッチにより、一時停止ボタン１３の操作が検出されたか否かを判定する処理を行う。そして、一時停止ボタン１３の操作が検出されたと判定された場合には（ステップＳ１０−３＝ＹＥＳ）、ステップＳ１０−４に処理を移行する。一方で、一時停止ボタン１３の操作が検出されていないと判定された場合には（ステップＳ１０−３＝ＮＯ）、ステップＳ１０−５に処理を移行する。
【００９４】
（ステップＳ１０−４）
ステップＳ１０−４において、ＣＰＵ６ａは、一時停止ボタン操作時処理を行う。具体的には、ＣＰＵ６ａは、収容部２の内部の気圧を維持する処理を行う。そして、ステップＳ１０−４の処理が終了すると、降圧時処理のサブルーチンを終了し、気圧制御部６における処理のステップＳ３に処理を移行する。
【００９５】
（ステップＳ１０−５）
ステップＳ１０−５において、ＣＰＵ６ａは、緊急停止ボタン１４の操作が検出されたか否かを判定する処理を行う。具体的には、ＣＰＵ６ａは、図示しない緊急停止スイッチにより、緊急停止ボタン１４の操作が検出されたか否かを判定する処理を行う。そして、緊急停止ボタン１４の操作が検出されたと判定された場合には（ステップＳ１０−５＝ＹＥＳ）、ステップＳ１０−６に処理を移行する。一方で、緊急停止ボタン１４の操作が検出されていないと判定された場合には（ステップＳ１０−５＝ＮＯ）、ステップＳ１０−７に処理を移行する。
【００９６】
（ステップＳ１０−６）
ステップＳ１０−６において、ＣＰＵ６ａは、緊急停止ボタン操作時処理を行う。具体的には、ＣＰＵ６ａは、大気開放弁２２を開放し、ＲＡＭ６ｃに設けられているステータス格納領域に「１（停止）」をセットする処理を行う。そして、ステップＳ１０−６の処理が終了すると、降圧時処理のサブルーチンを終了し、気圧制御部６における処理のステップＳ３に処理を移行する。
【００９７】
（ステップＳ１０−７）
ステップＳ１０−７において、ＣＰＵ６ａは、設定変更操作が検出されたか否かを判定する処理を行う。具体的には、ＣＰＵ６ａは、タッチパネル１５により、設定変更操作が検出されたか否かを判定する処理を行う。そして、設定変更操作が検出されたと判定された場合には（ステップＳ１０−７＝ＹＥＳ）、ステップＳ１０−８に処理を移行する。一方で、設定変更操作が検出されていないと判定された場合には（ステップＳ１０−７＝ＮＯ）、ステップＳ１０−９に処理を移行する。
【００９８】
（ステップＳ１０−８）
ステップＳ１０−８において、ＣＰＵ６ａは、設定変更操作検出時処理を行う。具体的には、ＣＰＵ６ａは、現在設定されている気圧が標準気圧よりも高い場合には、ＲＡＭ６ｃに設けられているステータス格納領域に「６（加圧調整）」をセットする加圧設定変更操作検出時処理を行う。一方で、現在設定されている気圧が標準気圧よりも低い場合には、ＲＡＭ６ｃに設けられているステータス格納領域に「７（減圧調整）」をセットする減圧設定変更操作検出時処理を行う。そして、ステップＳ１０−８の処理が終了すると、降圧時処理のサブルーチンを終了し、気圧制御部６における処理のステップＳ３に処理を移行する。
【００９９】
（ステップＳ１０−９）
ステップＳ１０−９において、ＣＰＵ６ａは、降圧処理を行う。具体的には、ＣＰＵ６ａは、減圧ポンプ２８を駆動することにより、収容部２の内部の気圧を降圧させる処理を行う。そして、ステップＳ１０−９の処理が終了すると、ステップＳ１０−１０に処理を移行する。
【０１００】
（ステップＳ１０−１０）
ステップＳ１０−１０において、ＣＰＵ６ａは、単位気圧分の降圧が行われたか否かを判定する処理を行う。具体的には、ＣＰＵ６ａは、単位気圧（「０．１」気圧）分の降圧が行われたか否かを判定する処理を行う。そして、単位気圧分の降圧が行われたと判定された場合には（ステップＳ１０−１０＝ＹＥＳ）、ステップＳ１０−１１に処理を移行する。一方で、単位気圧分の降圧が行われていないと判定された場合には（ステップＳ１０−１０＝ＮＯ）、ステップＳ１０−１３に処理を移行する。
【０１０１】
（ステップＳ１０−１１）
ステップＳ１０−１１において、ＣＰＵ６ａは、待機処理を行う。具体的には、ＣＰＵ６ａは、まず、ＲＡＭ６ｃのタイマカウンタの値がセットされていない場合には、セットされている降圧時間に基づいて、タイマカウンタの値をセットする処理を行う。また、ＣＰＵ６ａは、タイマカウンタの値がセットされている場合には、タイマカウンタの値から「１」減算する処理を行う。また、ＣＰＵ６ａは、第１開閉弁２３〜第４開閉弁２６の開閉を行うことにより、現在の気圧を維持する制御を行う。そして、ステップＳ１０−１１の処理が終了すると、ステップＳ１０−１２に処理を移行する。
【０１０２】
（ステップＳ１０−１２）
ステップＳ１０−１２において、ＣＰＵ６ａは、待機時間が終了したか否かを判定する処理を行う。具体的には、ＣＰＵ６ａは、ステップＳ１０−１１の待機処理により、タイマカウンタの値から「１」減算する処理を行った結果、タイマカウンタの値が「０」となったか否かを判定することにより、待機時間が終了したか否かを判定する処理を行う。そして、待機時間が終了したと判定された場合には（ステップＳ１０−１２＝ＹＥＳ）、ステップＳ１０−１３に処理を移行する。一方で、待機時間が終了していないと判定された場合には（ステップＳ１０−１２＝ＮＯ）、ステップＳ１０−１１に処理を移行する。
【０１０３】
（ステップＳ１０−１３）
ステップＳ１０−１３において、ＣＰＵ６ａは、降圧処理を行う。具体的には、ＣＰＵ６ａは、減圧ポンプ２８を駆動することにより、収容部２の内部の気圧を降圧させる処理を行う。そして、ステップＳ１０−１３の処理が終了すると、ステップＳ１０−１４に処理を移行する。
【０１０４】
（ステップＳ１０−１４）
ステップＳ１０−１４において、ＣＰＵ６ａは、単位気圧分の降圧が行われたか否かを判定する処理を行う。具体的には、ＣＰＵ６ａは、単位気圧（「０．１」気圧）分の降圧が行われたか否かを判定する処理を行う。そして、単位気圧分の降圧が行われたと判定された場合には（ステップＳ１０−１４＝ＹＥＳ）、ステップＳ１０−１５に処理を移行する。一方で、単位気圧分の降圧が行われていないと判定された場合には（ステップＳ１０−１４＝ＮＯ）、ステップＳ１０−１３に処理を移行する。
【０１０５】
（ステップＳ１０−１５）
ステップＳ１０において、ＣＰＵ６ａは、選択された気圧まで降圧したか否かを判定する処理を行う。具体的には、ＣＰＵ６ａは、ステップＳ１０−１３の降圧処理を行った結果、選択された気圧まで降圧したか否かを判定する処理を行う。そして、選択された気圧まで降圧したと判定された場合には（ステップＳ１０−１５＝ＹＥＳ）、ステップＳ１０−１６に処理を移行する。一方で、選択された気圧まで降圧していないと判定された場合には（ステップＳ１０−１５＝ＮＯ）、ステップＳ１０−１１に処理を移行する。
【０１０６】
（ステップＳ１０−１６）
ステップＳ１０−１６において、ＣＰＵ６ａは、ステータスに「４（圧力保持）」をセットする処理を行う。具体的には、ＣＰＵ６ａは、ＲＡＭ６ｃのステータス格納領域に「４（圧力保持）」をセットする処理を行う。そして、ステップＳ１０−１６の処理が終了すると、昇圧時処理のサブルーチンを終了し、気圧制御部６における処理のステップＳ３に処理を移行する。
【０１０７】
（復圧時処理のサブルーチン）
次に、図６を用いて、復圧時処理のサブルーチンについて説明を行う。
【０１０８】
（ステップＳ１４−１）
ステップＳ１４−１において、ＣＰＵ６ａは、復圧処理を行う。具体的には、ＣＰＵ６ａは、第１開閉弁２３〜第４開閉弁２６の開閉を行うことにより、収容部２の内部の気圧を標準気圧に復圧する処理を行う。そして、ステップＳ１４−１の処理が終了すると、ステップＳ１４−２に処理を移行する。
【０１０９】
（ステップＳ１４−２）
ステップＳ１４−２において、ＣＰＵ６ａは、単位気圧分の復圧が行われたか否かを判定する処理を行う。具体的には、ＣＰＵ６ａは、単位気圧（「０．１」気圧）分の復圧が行われたか否かを判定する処理を行う。そして、単位気圧分の復圧が行われたと判定された場合には（ステップＳ１４−２＝ＹＥＳ）、ステップＳ１４−３に処理を移行する。一方で、単位気圧分の復圧が行われていないと判定された場合には（ステップＳ１４−２＝ＮＯ）、ステップＳ１４−１に処理を移行する。
【０１１０】
（ステップＳ１４−３）
ステップＳ１４−３において、ＣＰＵ６ａは、待機処理を行う。具体的には、ＣＰＵ６ａは、まず、ＲＡＭ６ｃのタイマカウンタの値がセットされていない場合には、セットされている昇圧時間や、降圧時間に基づいて、タイマカウンタの値をセットする処理を行う。また、ＣＰＵ６ａは、タイマカウンタの値がセットされている場合には、タイマカウンタの値から「１」減算する処理を行う。また、ＣＰＵ６ａは、第１開閉弁２３〜第４開閉弁２６の開閉を行うことにより、現在の気圧を維持する制御を行う。そして、ステップＳ１４−３の処理が終了すると、ステップＳ１４−４に処理を移行する。
【０１１１】
（ステップＳ１４−４）
ステップＳ１４−４において、ＣＰＵ６ａは、待機時間が終了したか否かを判定する処理を行う。具体的には、ＣＰＵ６ａは、ステップＳ１４−３の待機処理により、タイマカウンタの値から「１」減算する処理を行った結果、タイマカウンタの値が「０」となったか否かを判定することにより、待機時間が終了したか否かを判定する処理を行う。そして、待機時間が終了したと判定された場合には（ステップＳ１４−４＝ＹＥＳ）、ステップＳ１４−５に処理を移行する。一方で、待機時間が終了していないと判定された場合には（ステップＳ１４−４＝ＮＯ）、ステップＳ１４−３に処理を移行する。
【０１１２】
（ステップＳ１４−５）
ステップＳ１４−５において、ＣＰＵ６ａは、標準気圧まで復圧したか否かを判定する処理を行う。具体的には、ＣＰＵ６ａは、ステップＳ１４−１の復圧処理を行った結果、標準気圧まで復圧したか否かを判定する処理を行う。そして、標準気圧まで復圧したと判定された場合には（ステップＳ１４−５＝ＹＥＳ）、ステップＳ１４−６に処理を移行する。一方で、標準気圧まで復圧していないと判定された場合には（ステップＳ１４−５＝ＮＯ）、ステップＳ１４−１に処理を移行する。
【０１１３】
（ステップＳ１４−６）
ステップＳ１４−６において、ＣＰＵ６ａは、ステータスに「１（停止）」をセットする処理を行う。具体的には、ＣＰＵ６ａは、ＲＡＭ６ｃのステータス格納領域に「１（停止）」をセットする処理を行う。そして、ステップＳ１４−６の処理が終了すると、復圧時処理のサブルーチンを終了し、気圧制御部６における処理のステップＳ３に処理を移行する。
【０１１４】
（割込処理）
次に、図７を用いて、割込処理について説明を行う。
【０１１５】
ここで、割込処理は、気圧制御部６における処理（図３参照）に対して、所定の周期（例えば、２ｍｓ）ごとに割り込んで行われる処理である。
【０１１６】
（ステップＳ１０１）
ステップＳ１０１において、ＣＰＵ６ａは、気圧閾値に到達したか否かを判定する処理を行う。具体的には、ＣＰＵ６ａは、気圧計１６による計測の結果と、ＲＯＭ６ｂに記憶されている気圧閾値とを比較することにより、収容部２の内部の気圧が気圧閾値に到達したか否かを判定する処理を行う。そして、気圧閾値に到達したと判定された場合には（ステップＳ１０１＝ＹＥＳ）、ステップＳ１０２に処理を移行する。一方で、気圧閾値に到達していないと判定された場合には（ステップＳ１０１＝ＮＯ）、ステップＳ１０４に処理を移行する。
【０１１７】
ここで、「気圧閾値」は、加圧用の気圧閾値と、減圧用の気圧閾値が設けられている。具体的には、本実施形態における加圧用の気圧閾値は、「１．８」気圧であって、減圧用の気圧閾値は「０．６」気圧である。即ち、ステップＳ１０１の処理においては、収容部２の内部の気圧が、加圧用の気圧閾値である「１．８」気圧に到達したか否かを判定する処理と、減圧用の気圧閾値である「０．６」気圧に到達したか否かを判定する処理とが行われることとなる。
【０１１８】
（ステップＳ１０２）
ステップＳ１０２において、ＣＰＵ６ａは、警告処理を行う。具体的には、ＣＰＵ６ａは、液晶表示装置１８に警告画像を表示する処理や、気圧制御部６により警告音を出音する処理を行う。そして、ステップＳ１０２の処理が終了すると、ステップＳ１０３に処理を移行する。
【０１１９】
（ステップＳ１０３）
ステップＳ１０３において、ＣＰＵ６ａは、警告時ステータス変更処理を行う。具体的には、ＣＰＵ６ａは、ＲＡＭ６ｃに設けられているステータス格納領域に「８（異常）」をセットする処理を行う。そして、ステップＳ１０３の処理が終了すると、割込処理を終了し、割込処理を開始する前の処理に処理を移行する。
【０１２０】
（ステップＳ１０４）
ステップＳ１０４において、ＣＰＵ６ａは、監視処理を行う。具体的には、ＣＰＵ６ａは、所定の単位時間あたりの加圧量や、減圧量を監視する処理を行う。そして、ステップＳ１０４の処理が終了すると、ステップＳ１０５に処理を移行する。
【０１２１】
（ステップＳ１０５）
ステップＳ１０５において、ＣＰＵ６ａは、補正時であるか否かを判定する処理を行う。具体的には、ＣＰＵ６ａは、ステップＳ１０４の監視処理により、単位時間あたりの加圧量や、減圧量に所定量のズレが生じているか否かを判定する処理を行う。そして、補正時であると判定された場合には（ステップＳ１０５＝ＹＥＳ）、ステップＳ１０６に処理を移行する。一方で、補正時ではないと判定された場合には（ステップＳ１０５＝ＮＯ）、ステップＳ１０７に処理を移行する。
【０１２２】
（ステップＳ１０６）
ステップＳ１０６において、ＣＰＵ６ａは、補正処理を行う。具体的には、ＣＰＵ６ａは、単位時間あたりの加圧量や、減圧量に所定量のズレが生じている場合に（ステップＳ１０５＝ＹＥＳ）、第１開閉弁２３〜第４開閉弁２６の一または複数を開放することにより、所定量のズレを補正する処理を行う。そして、ステップＳ１０６の処理が終了すると、割込処理を終了し、割込処理を開始する前の処理に処理を移行する。
【０１２３】
ここで、ステップＳ１０６の補正処理をより具体的に説明すると、ＣＰＵ６ａは、加圧量や、減圧量のズレが第１の量である場合には、第１開閉弁２３を開放する制御を行うことにより、気圧のズレを補正する処理を行う。また、ＣＰＵ６ａは、加圧量や、減圧量のズレが第１の量よりも大きな量である第２の量である場合には、第１開閉弁２３、及び第２開閉弁２４を開放する制御を行うことにより、気圧のズレを補正する処理を行う。
【０１２４】
また、ＣＰＵ６ａは、加圧量や、減圧量のズレが第２の量よりも大きな量である第３の量である場合には、第１開閉弁２３、第２開閉弁２４、及び第３開閉弁２５を開放する制御を行うことにより、気圧のズレを補正する処理を行う。また、ＣＰＵ６ａは、加圧量や、減圧量のズレが第３の量よりも大きな量である第４の量である場合には、第１開閉弁２３、第２開閉弁２４、第３開閉弁２５、及び第４開閉弁２６を開放する制御を行うことにより、気圧のズレを補正する処理を行う。
【０１２５】
（ステップＳ１０７）
ステップＳ１０７において、ＣＰＵ６ａは、エラーを検出したか否かを判定する処理を行う。具体的には、ＣＰＵ６ａは、例えば、ステップＳ１０６の補正処理を行ったものの、所定時間以内に気圧のズレを補正することができなかったか否かを判定する処理を行う。そして、エラーを検出したと判定された場合には（ステップＳ１０７＝ＹＥＳ）、ステップＳ１０８に処理を移行する。一方で、エラーを検出していないと判定された場合には（ステップＳ１０７＝ＮＯ）、割込処理を終了し、割込処理を開始する前の処理に処理を移行する。
【０１２６】
（ステップＳ１０８）
ステップＳ１０８において、ＣＰＵ６ａは、エラー時処理を行う。具体的には、ＣＰＵ６ａは、液晶表示装置１８にエラー画像を表示する処理を行う。また、ＣＰＵ６ａは、ＲＡＭ６ｃに設けられているステータス格納領域に「８（異常）」をセットする処理を行う。そして、ステップＳ１０８の処理が終了すると、割込処理を終了し、割込処理を開始する前の処理に処理を移行する。
【０１２７】
（降圧から復圧までの気圧の推移を表すグラフ）
次に、図８を用いて、降圧から復圧までの気圧の推移を表すグラフの説明を行う。
【０１２８】
まず、図８（Ａ）のタイミングにおいて、気圧制御部６は、モード選択画面が表示されている状態で、圧力として「０．７０気圧」が選択され、運転時間として「６０分」が選択され、降圧時間として「ゆっくり」が選択され、設定完了操作が検出され、開始ボタン１１が操作されると、減圧開閉弁２１が開放し、減圧ポンプ２８が駆動することにより、収容部２の内部の気圧が降圧されることとなる。
【０１２９】
ここで、降圧時間について説明を行う。降圧時間として「標準」が選択されている場合においては、「２」分で単位気圧（「０．１」気圧）降圧する。そして、単位気圧分の降圧がされた後、現在の気圧を「１」分間維持する待機時間となる。一方で、降圧時間として「ゆっくり」が選択されている場合においては、「３」分で単位気圧（「０．１」気圧）降圧する。そして、単位気圧分の降圧がされた後、現在の気圧を「２」分間維持する待機時間となる。
【０１３０】
次に、図８（Ａ）から図８（Ｂ）の間のタイミングにおいて、気圧制御部６は、収容部２の内部の気圧を、標準気圧である「１．０」気圧から、「３」分間かけて単位気圧である「０．１」気圧降圧させる制御を行う。この結果、収容部２の内部の気圧が「１．０」気圧から「０．９」気圧となる。その後、待機時間により、「０．９」気圧が「２」分間維持されることとなる。
【０１３１】
次に、図８（Ｂ）から図８（Ｃ）の間のタイミングにおいて、気圧制御部６は、収容部２の内部の気圧を、「０．９」気圧から、「３」分間かけて単位気圧である「０．１」気圧降圧させる制御を行う。この結果、収容部２の内部の気圧が「０．９」気圧から「０．８」気圧となる。その後、待機時間により、「０．８」気圧が「２」分間維持されることとなる。
【０１３２】
次に、図８（Ｃ）から図８（Ｄ）の間のタイミングにおいて、気圧制御部６は、収容部２の内部の気圧を、「０．８」気圧から、「３」分間かけて単位気圧である「０．１」気圧降圧させる制御を行う。この結果、収容部２の内部の気圧が「０．８」気圧から「０．７」気圧となる。その後、待機時間により、「０．７」気圧が「２」分間維持されることとなる。
【０１３３】
次に、図８（Ｄ）から図８（Ｅ）の間のタイミングにおいて、気圧制御部６は、収容部２の内部の気圧を、選択された気圧で選択された運転時間の間、維持する制御を行う。具体的には、選択された運転時間である「６０」分間、選択された気圧である「０．７」気圧を維持する制御を行う。
【０１３４】
次に、図８（Ｅ）から図８（Ｆ）の間のタイミングにおいて、気圧制御部６は、収容部２の内部の気圧を、「０．７」気圧から、「３」分間かけて単位気圧である「０．１」気圧復圧させる制御を行う。この結果、収容部２の内部の気圧が「０．７」気圧から「０．８」気圧となる。その後、待機時間により、「０．８」気圧が「２」分間維持されることとなる。
【０１３５】
次に、図８（Ｆ）から図８（Ｇ）の間のタイミングにおいて、気圧制御部６は、収容部２の内部の気圧を、「０．８」気圧から、「３」分間かけて単位気圧である「０．１」気圧復圧させる制御を行う。この結果、収容部２の内部の気圧が「０．８」気圧から「０．９」気圧となる。その後、待機時間により、「０．９」気圧が「２」分間維持されることとなる。
【０１３６】
次に、図８（Ｇ）から図８（Ｈ）の間のタイミングにおいて、気圧制御部６は、収容部２の内部の気圧を、「０．９」気圧から、「３」分間かけて単位気圧である「０．１」気圧復圧させる制御を行う。この結果、収容部２の内部の気圧が「０．９」気圧から標準気圧である「１．０」気圧となる。その後、待機時間により、「１．０」気圧が「２」分間維持され、標準気圧に復圧したので、気圧制御部６による制御が終了することとなる。
【０１３７】
なお、図８（Ｃ）から図８（Ｄ）の間のタイミングは、「２」分間の待機時間がある。これにより、運転時間として「６０」分が選択されたとしても、選択された気圧である「０．７」気圧が維持される時間が「６２」分となる。
【０１３８】
このため、図８（Ｃ）から図８（Ｄ）の間のタイミングにおいては、待機時間を設けないこととしてもよい。この場合において、気圧制御部６は、収容部２の内部の気圧を、「０．８」気圧から、「５」分間かけて単位気圧である「０．１」気圧降圧させる制御を行うこととしてもよい。
【０１３９】
これにより、選択された気圧が維持される時間を、選択された運転時間とすることができる。また、設定された気圧に降圧する場合において、最後の単位気圧分の降圧を行うときに、緩やかに降圧させることができるので、利用者の身体に負担がかかることをより防止することができる。
【０１４０】
なお、図８（Ｇ）から図８（Ｈ）の間のタイミングは、「２」分間の待機時間がある。このため、復圧時間が「１５」分であったとしても、実際には、「１３」分で復圧することとなる。
【０１４１】
このため、図８（Ｇ）から図８（Ｈ）の間のタイミングにおいては、待機時間を設けないこととしてもよい。この場合において、気圧制御部６は、収容部２の内部の気圧を、「０．９」気圧から、「５」分間かけて単位気圧である「０．１」気圧復圧させる制御を行う。
【０１４２】
これにより、復圧までの時間を「１５」分とすることができる。また、最後の単位気圧分の復圧を行うときに、緩やかに復圧させることができるので、利用者の身体に負担がかかることをより防止することができる。
【０１４３】
（昇圧から復圧までの気圧の推移を表すグラフ）
次に、図９を用いて、昇圧から復圧までの気圧の推移を表すグラフの説明を行う。
【０１４４】
まず、図９（Ａ）のタイミングにおいて、気圧制御部６は、モード選択画面が表示されている状態で、圧力として「１．５気圧」が選択され、運転時間として「６０分」が選択され、昇圧時間として「標準」が選択され、設定完了操作が検出され、開始ボタン１１が操作されると、加圧開閉弁２０が開放し、加圧ポンプ２７が駆動することにより、収容部２の内部の気圧が昇圧されることとなる。
【０１４５】
ここで、昇圧時間について説明を行う。昇圧時間として「標準」が選択されている場合においては、「２」分で単位気圧（「０．１」気圧）昇圧する。そして、単位気圧分の昇圧がされた後、現在の気圧を「１」分間維持する待機時間となる。一方で、昇圧時間として「ゆっくり」が選択されている場合においては、「３」分で単位気圧（「０．１」気圧）昇圧する。そして、単位気圧分の昇圧がされた後、現在の気圧を「２」分間維持する待機時間となる。
【０１４６】
次に、図９（Ａ）から図９（Ｂ）の間のタイミングにおいて、気圧制御部６は、収容部２の内部の気圧を、標準気圧である「１．０」気圧から、「２」分間かけて単位気圧である「０．１」気圧昇圧させる制御を行う。この結果、収容部２の内部の気圧が「１．０」気圧から「１．１」気圧となる。その後、待機時間により、「１．１」気圧が「１」分間維持されることとなる。
【０１４７】
次に、図９（Ｂ）から図９（Ｃ）の間のタイミングにおいて、気圧制御部６は、収容部２の内部の気圧を、「１．１」気圧から、「２」分間かけて単位気圧である「０．１」気圧昇圧させる制御を行う。この結果、収容部２の内部の気圧が「１．１」気圧から「１．２」気圧となる。その後、待機時間により、「１．２」気圧が「１」分間維持されることとなる。
【０１４８】
次に、図９（Ｃ）から図９（Ｄ）の間のタイミングにおいて、気圧制御部６は、収容部２の内部の気圧を、「１．２」気圧から、「２」分間かけて単位気圧である「０．１」気圧昇圧させる制御を行う。この結果、収容部２の内部の気圧が「１．２」気圧から「１．３」気圧となる。その後、待機時間により、「１．３」気圧が「１」分間維持されることとなる。
【０１４９】
次に、図９（Ｄ）から図９（Ｅ）の間のタイミングにおいて、気圧制御部６は、収容部２の内部の気圧を、「１．３」気圧から、「２」分間かけて単位気圧である「０．１」気圧昇圧させる制御を行う。この結果、収容部２の内部の気圧が「１．３」気圧から「１．４」気圧となる。その後、待機時間により、「１．４」気圧が「１」分間維持されることとなる。
【０１５０】
次に、図９（Ｅ）から図９（Ｆ）の間のタイミングにおいて、気圧制御部６は、収容部２の内部の気圧を、「１．４」気圧から、「２」分間かけて単位気圧である「０．１」気圧昇圧させる制御を行う。この結果、収容部２の内部の気圧が「１．４」気圧から「１．５」気圧となる。その後、待機時間により、「１．５」気圧が「１」分間維持されることとなる。
【０１５１】
次に、図９（Ｆ）から図９（Ｇ）の間のタイミングにおいて、気圧制御部６は、収容部２の内部の気圧を、選択された気圧で選択された運転時間の間、維持する制御を行う。具体的には、選択された気圧である「１．５」気圧で、選択された運転時間である「６０」分間維持する制御を行う。
【０１５２】
次に、図９（Ｇ）から図９（Ｈ）の間のタイミングにおいて、気圧制御部６は、収容部２の内部の気圧を、「１．５」気圧から、「２」分間かけて単位気圧である「０．１」気圧復圧させる制御を行う。この結果、収容部２の内部の気圧が「１．５」気圧から「１．４」気圧となる。その後、待機時間により、「１．４」気圧が「１」分間維持されることとなる。
【０１５３】
次に、図９（Ｈ）から図９（Ｉ）の間のタイミングにおいて、気圧制御部６は、収容部２の内部の気圧を、「１．４」気圧から、「２」分間かけて単位気圧である「０．１」気圧復圧させる制御を行う。この結果、収容部２の内部の気圧が「１．４」気圧から「１．３」気圧となる。その後、待機時間により、「１．３」気圧が「１」分間維持されることとなる。
【０１５４】
次に、図９（Ｉ）から図９（Ｊ）の間のタイミングにおいて、気圧制御部６は、収容部２の内部の気圧を、「１．３」気圧から、「２」分間かけて単位気圧である「０．１」気圧復圧させる制御を行う。この結果、収容部２の内部の気圧が「１．３」気圧から「１．２」気圧となる。その後、待機時間により、「１．２」気圧が「１」分間維持されることとなる。
【０１５５】
次に、図９（Ｊ）から図９（Ｋ）の間のタイミングにおいて、気圧制御部６は、収容部２の内部の気圧を、「１．２」気圧から、「２」分間かけて単位気圧である「０．１」気圧復圧させる制御を行う。この結果、収容部２の内部の気圧が「１．２」気圧から「１．１」気圧となる。その後、待機時間により、「１．１」気圧が「１」分間維持されることとなる。
【０１５６】
次に、図９（Ｋ）から図９（Ｌ）の間のタイミングにおいて、気圧制御部６は、収容部２の内部の気圧を、「１．１」気圧から、「２」分間かけて単位気圧である「０．１」気圧復圧させる制御を行う。この結果、収容部２の内部の気圧が「１．１」気圧から「１．０」気圧となる。その後、待機時間により、「１．０」気圧が「１」分間維持され、その後、標準気圧に復圧したので、気圧制御部６による制御が終了することとなる。
【０１５７】
なお、図９（Ｅ）から図９（Ｆ）の間のタイミングは、「１」分間の待機時間がある。これにより、運転時間として「６０」分が選択されたとしても、選択された気圧である「１．５」気圧が維持される時間が「６１」分となる。
【０１５８】
このため、図９（Ｅ）から図９（Ｆ）の間のタイミングにおいては、待機時間を設けないこととしてもよい。この場合において、気圧制御部６は、収容部２の内部の気圧を、「１．４」気圧から、「３」分間かけて単位気圧である「０．１」気圧昇圧させる制御を行う。
【０１５９】
これにより、選択された気圧が維持される時間を、選択された運転時間とすることができる。また、設定された気圧に昇圧する場合において、最後の単位気圧分の昇圧を行うときに、緩やかに昇圧させることができるので、利用者の身体に負担がかかることをより防止することができる。
【０１６０】
なお、図９（Ｋ）から図９（Ｌ）の間のタイミングは、「１」分間の待機時間がある。このため、復圧時間が「１５」分であったとしても、実際には、「１４」分で復圧することとなる。
【０１６１】
このため、図９（Ｋ）から図９（Ｌ）の間のタイミングにおいては、待機時間を設けないこととしてもよい。この場合において、気圧制御部６は、収容部２の内部の気圧を、「０．９」気圧から、「３」分間かけて単位気圧である「０．１」気圧復圧させる制御を行う。
【０１６２】
これにより、復圧までの時間を「１５」分とすることができる。また、最後の単位気圧分の復圧を行うときに、緩やかに復圧させることができるので、利用者の身体に負担がかかることをより防止することができる。
【０１６３】
（降圧から復圧までの液晶表示装置１８の表示態様）
次に、図１０を用いて、降圧から復圧までの液晶表示装置１８の表示態様について説明を行う。
【０１６４】
まず、図１０（Ａ）に示す通り、液晶表示装置１８には、モード選択画面が表示されている。また、図１０（Ａ）は、圧力選択として「０．７０」気圧が選択されており、運転時間として「６０」分が選択されており、降圧時間として「ゆっくり」が選択されている。
【０１６５】
ここで、本実施形態においては、圧力選択として、「１．３」気圧、「１．４」気圧、「１．５」気圧、「１．６」気圧、「１．７」気圧、「０．９０」気圧、「０．８５」気圧、「０．８０」気圧、「０．７５」気圧、及び「０．７０」気圧を選択可能である。なお、図１０（Ａ）に示す圧力選択はあくまで一例であって、他の圧力を選択可能としてもよい。
【０１６６】
また、本実施形態においては、運転時間として、「３０」分、「６０」分、「９０」分、「１２０」分、及び「１８０」分を選択可能となっている。なお、図１０（Ａ）に示す運転時間はあくまで一例であって、他の運転時間を選択可能としてもよい。例えば、運転時間として、「無限」を選択可能としてもよい。
【０１６７】
また、本実施形態においては、降圧時間として、「通常」、及び「ゆっくり」を選択可能となっている。なお、図１０（Ａ）に示す降圧時間はあくまで一例であって、他の降圧時間を選択可能としてもよい。
【０１６８】
また、本実施形態において、降圧時間として、「通常」が選択された場合には、復圧時間も「通常」となり、「ゆっくり」が選択された場合には、復圧時間も「ゆっくり」となる。即ち、降圧時間と、復圧時間とが同じ時間となるが、降圧時間と、復圧時間とを異なる時間とすることもできる。例えば、降圧時間の方が、復圧時間よりも長い時間とすることもできるし、復圧時間の方が、降圧時間よりも長い時間とすることもできる。
【０１６９】
そして、液晶表示装置１８の表示態様が図１０（Ａ）に示されている表示態様である場合において、「設定完了」に対応する領域のタッチパネル１５が操作される設定完了操作が検出され、開始ボタン１１が操作されると、収容部２の内部の気圧が降圧されることとなる。
【０１７０】
次に、図１０（Ｂ）は、収容部２の内部の気圧が降圧されている状態における液晶表示装置１８の表示態様を示している。また、図１０（Ｂ）は、圧力選択として「０．７０」気圧が選択されていることを示しており、運転時間として「６０」分が選択されていることを示しており、降圧時間として「１５」分が選択されていることを示しており、復圧時間が「１５」分であることを示している。
【０１７１】
また、図１０（Ｂ）は、運転状態が「降圧」であることを示しており、経過時間が「０７」分「３０」秒であることを示しており、現在の収容部２の内部の気圧が「０．９」気圧であることを示している。
【０１７２】
また、図１０（Ｂ）のタイミングにおいては、収容部２の内部の気圧の推移を示すグラフが表示される。なお、このグラフは、選択された運転時間と、降圧時間と、復圧時間とを加算した値に、「５」分の余剰時間を加算した分のグラフが表示されることとなる。
【０１７３】
なお、図１０（Ｂ）のタイミングにおいて、設定変更操作を行うことにより、選択された「０．７」気圧から他の気圧に変更することができる。
【０１７４】
次に、図１０（Ｃ）は、単位気圧である「０．１」気圧降圧した後の待機時間であることを示しており、経過時間が「０８」分「３０」秒であることを示しており、現在の収容部２の内部の気圧が「０．８」気圧であることを示している。
【０１７５】
なお、図１０（Ｃ）のタイミングにおいては、図１０（Ｂ）と同様に、収容部２の内部の気圧の推移を示すグラフが表示されることとなる。
【０１７６】
次に、図１０（Ｄ）は、選択された圧力である「０．７」気圧で圧力を保持していることを示しており、経過時間が「１５」分「０１」秒であることを示しており、現在の収容部２の内部の気圧が「０．７」気圧であることを示している。
【０１７７】
なお、図１０（Ｄ）のタイミングにおいては、図１０（Ｂ）〜図１０（Ｃ）と同様に、収容部２の内部の気圧の推移を示すグラフが表示されることとなる。
【０１７８】
次に、図１０（Ｅ）は、選択された運転時間の運転が終了すると、収容部２の内部の気圧が復圧することとなる。ここで、液晶表示装置１８には、運転状態が「復圧」であることを示しており、経過時間が「７６」分「３０」秒であることを示しており、現在の収容部２の内部の気圧が「０．７」気圧であることを示している。
【０１７９】
なお、図１０（Ｅ）のタイミングにおいては、図１０（Ｂ）〜図１０（Ｄ）と同様に、収容部２の内部の気圧の推移を示すグラフが表示されることとなる。
【０１８０】
次に、図１０（Ｆ）は、単位気圧である「０．１」気圧復圧した後の待機時間であることを示しており、経過時間が「７９」分「００」秒であることを示しており、現在の収容部２の内部の気圧が「０．８」気圧であることを示している。
【０１８１】
なお、図１０（Ｆ）のタイミングにおいては、図１０（Ｂ）〜図１０（Ｅ）と同様に、収容部２の内部の気圧の推移を示すグラフが表示されることとなる。
【０１８２】
（昇圧から復圧までの液晶表示装置１８の表示態様）
次に、図１１を用いて、昇圧から復圧までの液晶表示装置１８の表示態様について説明を行う。
【０１８３】
まず、図１１（Ａ）に示す通り、液晶表示装置１８には、モード選択画面が表示されている。また、図１１（Ａ）は、圧力選択として「１．５」気圧が選択されており、運転時間として「６０」分が選択されており、昇圧時間として「通常」が選択されている。
【０１８４】
また、本実施形態においては、昇圧時間として、「通常」、及び「ゆっくり」を選択可能となっている。なお、図１１（Ａ）に示す昇圧時間はあくまで一例であって、他の昇圧時間を選択可能としてもよい。
【０１８５】
また、本実施形態において、昇圧時間として、「通常」が選択された場合には、復圧時間も「通常」となり、「ゆっくり」が選択された場合には、復圧時間も「ゆっくり」となる。即ち、昇圧時間と、復圧時間とが同じ時間となるが、昇圧時間と、復圧時間とを異なる時間とすることもできる。例えば、昇圧時間の方が、復圧時間よりも長い時間とすることもできるし、復圧時間の方が、昇圧時間よりも長い時間とすることもできる。
【０１８６】
そして、液晶表示装置１８の表示態様が図１１（Ａ）に示されている表示態様である場合において、「設定完了」に対応する領域のタッチパネル１５が操作される設定完了操作が検出され、開始ボタン１１が操作されると、収容部２の内部の気圧が昇圧されることとなる。
【０１８７】
次に、図１１（Ｂ）は、収容部２の内部の気圧が昇圧されている状態における液晶表示装置１８の表示態様を示している。また、図１１（Ｂ）は、圧力選択として「１．５」気圧が選択されていることを示しており、運転時間として「６０」分が選択されていることを示しており、降圧時間として「１５」分が選択されていることを示しており、復圧時間が「１５」分であることを示している。
【０１８８】
また、図１１（Ｂ）は、運転状態が「昇圧」であることを示しており、経過時間が「０７」分「３０」秒であることを示しており、現在の収容部２の内部の気圧が「１．２」気圧であることを示している。
【０１８９】
また、図１１（Ｂ）のタイミングにおいては、収容部２の内部の気圧の推移を示すグラフが表示される。なお、このグラフは、選択された運転時間と、昇圧時間と、復圧時間とを加算した値に、「５」分の余剰時間を加算した分のグラフが表示されることとなる。
【０１９０】
なお、図１１（Ｂ）のタイミングにおいて、設定変更操作を行うことにより、選択された「１．５」気圧から他の気圧に変更することができる。
【０１９１】
次に、図１１（Ｃ）は、単位気圧である「０．１」気圧昇圧した後の待機時間であることを示しており、経過時間が「０８」分「３０」秒であることを示しており、現在の収容部２の内部の気圧が「１．３」気圧であることを示している。
【０１９２】
なお、図１１（Ｃ）のタイミングにおいては、図１１（Ｂ）と同様に、収容部２の内部の気圧の推移を示すグラフが表示されることとなる。
【０１９３】
次に、図１１（Ｄ）は、選択された圧力である「１．５」気圧で圧力を保持していることを示しており、経過時間が「１５」分「０１」秒であることを示しており、現在の収容部２の内部の気圧が「１．５」気圧であることを示している。
【０１９４】
なお、図１１（Ｄ）のタイミングにおいては、図１１（Ｂ）〜図１１（Ｃ）と同様に、収容部２の内部の気圧の推移を示すグラフが表示されることとなる。
【０１９５】
次に、図１１（Ｅ）は、選択された運転時間の運転が終了すると、収容部２の内部の気圧が復圧することとなる。ここで、液晶表示装置１８には、運転状態が「復圧」であることを示しており、経過時間が「７６」分「３０」秒であることを示しており、現在の収容部２の内部の気圧が「１．５」気圧であることを示している。
【０１９６】
なお、図１１（Ｅ）のタイミングにおいては、図１１（Ｂ）〜図１１（Ｄ）と同様に、収容部２の内部の気圧の推移を示すグラフが表示されることとなる。
【０１９７】
次に、図１１（Ｆ）は、単位気圧である「０．１」気圧復圧した後の待機時間であることを示しており、経過時間が「７７」分「３０」秒であることを示しており、現在の収容部２の内部の気圧が「１．３」気圧であることを示している。
【０１９８】
なお、図１１（Ｆ）のタイミングにおいては、図１１（Ｂ）〜図１１（Ｅ）と同様に、収容部２の内部の気圧の推移を示すグラフが表示されることとなる。
【０１９９】
（その他の実施形態）
以下において、その他の実施形態について説明を行う。
【０２００】
上述した実施形態において、降圧時間、または昇圧時間として「標準」が選択されている場合には、待機時間が「１」分であり、降圧時間、または昇圧時間として「ゆっくり」が選択されている場合には、待機時間が「２」分であるが、これに限定されることはない。例えば、タッチパネル１５により、暗証番号が入力されることで、任意の待機時間を設定可能とすることもできる。
【０２０１】
また、降圧時間、または昇圧時間として「標準」が選択されている場合において、単位気圧を昇圧、または降圧するのに必要な時間は「２」分であり、「ゆっくり」が選択されている場合において、単位気圧である「０．１」気圧昇圧、または降圧するのに必要な時間は「３」分であるが、これに限定されることはない。例えば、タッチパネル１５により、暗証番号が入力されることで、単位気圧を昇圧、または降圧するのに必要な時間を任意に設定可能とすることもできる。
【０２０２】
また、選択された気圧に昇圧するまでの時間（以下、「選択昇圧時間」という）を設定可能とすることもできる。この場合において、ＣＰＵ６ａは、選択昇圧時間を、選択された気圧まで昇圧する単位気圧の数（以下、「昇圧回数」という。）で除算することで、単位気圧を昇圧させる時間と、待機時間との和を算出する処理を行う。
【０２０３】
例えば、選択昇圧時間として「２０」分が選択され、選択された圧力が「１．５」気圧であるとする。この場合において、標準気圧である「１．０」気圧から選択された圧力である「１．５」気圧まで昇圧させるためには、「０．５」気圧昇圧させる必要がある。このため、単位気圧である「０．１」気圧を「５」回昇圧する必要があるので、昇圧回数は「５」となる。
【０２０４】
そして、選択昇圧時間である「２０」分を、昇圧回数である「５」で除算すると、単位気圧を昇圧させる時間と、待機時間との和は「４」分となる。ここで、単位気圧を昇圧させる時間と、待機時間とをどのように割り振るかは、適宜設定可能である。例えば、単位気圧を昇圧させる時間と、待機時間との和である「４」分を「２」で除算することで、単位気圧を昇圧させる時間として、「２」分を設定し、待機時間として「２」分を設定することができる。
【０２０５】
また、単位気圧を昇圧させる時間よりも、待機時間を長く設定することもできる。例えば、単位気圧を昇圧させる時間として「１」分を設定し、待機時間として「３」分を設定することもできる。一方で、待機時間よりも、単位気圧を昇圧させる時間を長く設定することもできる。例えば、待機時間として「１」分を設定し、単位気圧を昇圧させる時間として「３」分を設定することもできる。
【０２０６】
また、選択された気圧に降圧するまでの時間（以下、「選択降圧時間」という）を設定可能とすることもできる。この場合において、ＣＰＵ６ａは、選択降圧時間を、選択された気圧まで降圧する単位気圧の数（以下、「降圧回数」という。）で除算することで、単位気圧を降圧させる時間と、待機時間との和を算出する処理を行う。
【０２０７】
例えば、選択降圧時間として「１０」分が選択され、選択された圧力が「０．８」気圧であるとする。この場合において、標準気圧である「１．０」気圧から選択された圧力である「０．８」気圧まで降圧させるためには、「０．２」気圧降圧させる必要がある。このため、単位気圧である「０．１」気圧を「２」回降圧する必要があるので、降圧回数が「２」となる。
【０２０８】
そして、選択降圧時間である「１０」分を、降圧回数である「２」で除算すると、単位気圧を降圧させる時間と、待機時間との和は「５」分となる。ここで、単位気圧を降圧させる時間と、待機時間とをどのように割り振るかは、適宜設定可能である。例えば、単位気圧を降圧させる時間と、待機時間との和である「５」分を「２」で除算することで、単位気圧を降圧させる時間として、「２」分「３０」秒を設定し、待機時間として「２」分「３０」秒を設定することができる。
【０２０９】
また、単位気圧を降圧させる時間よりも、待機時間を長く設定することもできる。例えば、単位気圧を降圧させる時間として「２」分を設定し、待機時間として「３」分を設定することもできる。一方で、待機時間よりも、単位気圧を降圧させる時間を長く設定することもできる。例えば、待機時間として「２」分を設定し、単位気圧を降圧させる時間として「３」分を設定することもできる。
【０２１０】
このように、本発明によれば、気圧制御部６は、収容部２の内部の気圧を降圧する降圧処理と、収容部２の内部の気圧を維持する待機処理とを交互に行うことにより、選択された気圧まで降圧する処理を行う。これにより、収容部２の内部の気圧が徐々に降圧することとなるので、利用者の身体に負担がかかることを防止することができる。
【０２１１】
また、本発明によれば、気圧制御部６は、収容部２の内部の気圧を昇圧する昇圧処理と、収容部２の内部の気圧を維持する待機処理とを交互に行うことにより、選択された気圧まで昇圧する処理を行う。これにより、収容部２の内部の気圧が徐々に昇圧することとなるので、利用者の身体に負担がかかることを防止することができる。
【０２１２】
また、本発明によれば、気圧制御部６は、収容部２の内部の気圧を降圧する降圧処理が行われた後、収容部２の内部の気圧を復圧する場合において、収容部２の内部の気圧を復圧する復圧処理と、収容部２の内部の気圧を維持する待機処理と、を交互に行うことにより、標準気圧まで復圧する処理を行う。これにより、収容部２の内部の気圧が徐々に復圧することとなるので、利用者の身体に負担がかかることを防止することができる。
【０２１３】
また、本発明によれば、気圧制御部６は、収容部２の内部の気圧を昇圧する昇圧処理が行われた後、収容部２の内部の気圧を復圧する場合において、収容部２の内部の気圧を復圧する復圧処理と、収容部２の内部の気圧を維持する待機処理と、を交互に行うことにより、標準気圧まで復圧する処理を行う。これにより、収容部２の内部の気圧が徐々に復圧することとなるので、利用者の身体に負担がかかることを防止することができる。
【０２１４】
（請求項１に係る発明）
請求項１に係る発明は、利用者を内部に収容可能な金属製の収容部（例えば、収容部２）と、前記収容部に形成された開口部（例えば、開口部３）と、前記開口部を閉塞可能な扉部（例えば、扉部４）と、前記収容部の内部の気圧を標準気圧と比較して低い低気圧にする制御を行う低圧制御部（例えば、気圧制御部６）と、を備え、前記低圧制御部は、前記収容部の内部の気圧を降圧する降圧処理（例えば、ステップＳ１０−９の降圧処理や、ステップＳ１０−１３の降圧処理）と、所定の条件（例えば、単位気圧である「０．１」気圧降圧したこと）が充足された場合に、現在の気圧を維持する気圧維持処理（例えば、ステップＳ１０−１１の待機処理）と、を実行し、前記降圧処理、及び前記気圧維持処理を交互に実行することにより、前記低気圧にする制御を行うことを特徴とする酸素ルームである。
【０２１５】
（請求項２に係る発明）
請求項２に係る発明は、利用者を内部に収容可能な金属製の収容部（例えば、収容部２）と、前記収容部に形成された開口部（例えば、開口部３）と、前記開口部を閉塞可能な扉部（例えば、扉部４）と、前記収容部の内部の気圧を標準気圧と比較して高い高気圧にする制御を行う高圧制御部（例えば、気圧制御部６）と、を備え、前記高圧制御部は、前記収容部の内部の気圧を昇圧する昇圧処理（例えば、ステップＳ８−９の昇圧処理や、ステップＳ８−１３の昇圧処理）と、所定の条件（例えば、単位気圧である「０．１」気圧昇圧したこと）が充足された場合に、現在の気圧を維持する気圧維持処理（例えば、ステップＳ８−１１の待機処理）と、を実行し、前記昇圧処理、及び前記気圧維持処理を交互に実行することにより、前記高気圧にする制御を行うことを特徴とする酸素ルームである。
【０２１６】
（請求項３に係る発明）
請求項３に係る発明は、利用者を内部に収容可能な金属製の収容部（例えば、収容部２）と、前記収容部に形成された開口部（例えば、開口部３）と、前記開口部を閉塞可能な扉部（例えば、扉部４）と、前記収容部の内部の気圧を制御する気圧制御部（例えば、気圧制御部６）と、を備え、前記気圧制御部は、前記収容部の内部の気圧を降圧する降圧処理（例えば、ステップＳ１０−９の降圧処理や、ステップＳ１０−１３の降圧処理）と、前記降圧処理により前記収容部の内部の気圧が降圧された後、標準気圧に復圧する復圧処理（例えば、ステップＳ１４−１の復圧処理）と、所定の条件（例えば、単位気圧である「０．１」気圧復圧したこと）が充足された場合に、現在の気圧を維持する気圧維持処理（例えば、ステップＳ１４−３の待機処理）と、を実行し、前記復圧処理、及び前記気圧維持処理を交互に実行することにより、前記標準気圧に復圧する制御を行うことを特徴とする酸素ルームである。
【０２１７】
（請求項４に係る発明）
請求項４に係る発明は、利用者を内部に収容可能な金属製の収容部（例えば、収容部２）と、前記収容部に形成された開口部（例えば、開口部３）と、前記開口部を閉塞可能な扉部（例えば、扉部４）と、前記収容部の内部の気圧を制御する気圧制御部（例えば、気圧制御部６）と、を備え、前記気圧制御部は、前記収容部の内部の気圧を昇圧する昇圧処理（例えば、ステップＳ８−９の昇圧処理や、ステップＳ８−１３の昇圧処理）と、前記昇圧処理により前記収容部の内部の気圧が昇圧された後、標準気圧に復圧する復圧処理（例えば、ステップＳ１４−１の復圧処理）と、所定の条件（例えば、単位気圧である「０．１」気圧復圧したこと）が充足された場合に、現在の気圧を維持する気圧維持処理（例えば、ステップＳ１４−３の待機処理）と、を実行し、前記復圧処理、及び前記気圧維持処理を交互に実行することにより、前記標準気圧に復圧する制御を行うことを特徴とする酸素ルームである。
【０２１８】
なお、本発明の実施について図面を用いて説明したが、具体的な構成はこれらの実施形態に限られるものではなく、本発明の要旨を逸脱しない範囲の設計変更等があっても本発明に含まれる。また、各図面で示した実施形態は、その目的及び構成等に矛盾や問題がない限り、互いの記載内容を組み合わせることが可能である。また、各図面の記載内容はそれぞれ独立した実施形態になり得るものであり、本発明の実施形態は各図面を組み合わせた一つの実施形態に限定されるものではない。
【符号の説明】
【０２１９】
１      酸素ルーム
２      収容部
３      開口部
４      扉部
５      窓部
６      気圧制御部
６ａ    ＣＰＵ
６ｂ    ＲＯＭ
６ｃ    ＲＡＭ
７      濃縮酸素装置
８      外側酸素排出弁
９      内側酸素排出弁
１０    電源鍵部
１１    開始ボタン
１２    終了ボタン
１３    一時停止ボタン
１４    緊急停止ボタン
１５    タッチパネル
１６    気圧計
１７    受話器
１８    液晶表示装置
２０    加圧開閉弁
２１    減圧開閉弁
２２    大気開放弁
２３    第１開閉弁
２４    第２開閉弁
２５    第３開閉弁
２６    第４開閉弁
２７    加圧ポンプ
２８    減圧ポンプ
【図１】
2020174794.tif 000003
【図２】
2020174794.tif 000004
【図３】
2020174794.tif 000005
【図４】
2020174794.tif 000006
【図５】
2020174794.tif 000007
【図６】
2020174794.tif 000008
【図７】
2020174794.tif 000009
【図８】
2020174794.tif 000010
【図９】
2020174794.tif 000011
【図１０】
2020174794.tif 000012
【図１１】
2020174794.tif 000013